(57)【要約】【課題】天板付き什器の保管スペースを抑える。【解決手段】天板付き什器は、互いに離間して床面上に設置される支持体２０Ａ、３０Ａと、支持体２０Ａ、３０Ａに着脱可能に支持された天板４０と、を有している。天板付き什器は、不使用時に、天板４０から取り外された一の前記支持体３０Ａと、他の前記支持体２０Ａと、鉛直面内に位置するよう立てた状態の天板４０と、を一体に連結する連結手段５０，６０を備えている。【選択図】図９
2016083291.tif 000002
【特許請求の範囲】
【請求項１】
互いに離間して床面上に設置される複数の支持体と、複数の前記支持体に着脱可能に支持された天板と、を有した天板付き什器であって、
前記天板付き什器の不使用時に、前記天板から取り外された少なくとも一の前記支持体と鉛直面内に位置するように立てた状態の前記天板とを一体に連結する連結手段を備えることを特徴とする天板付き什器。
【請求項２】
前記連結手段は、
前記天板付き什器の不使用時に、前記天板から取り外された他の前記支持体と前記一の支持体とを一体に連結することを特徴とする請求項１に記載の天板付き什器。
【請求項３】
複数の前記支持体のうち少なくとも一の前記支持体は、物品を収容可能な収容部を有したキャビネットユニットであり、
他の前記支持体は、前記床面上に設置されて前記天板を支持する支持脚であり、
前記キャビネットユニットは、底面に前記床面上で走行移動可能なキャスターを備え、
前記支持脚および前記天板は、前記床面から浮いた状態で前記キャビネットユニットに係止されることを特徴とする請求項２に記載の天板付き什器。
【請求項４】
前記連結手段は、
前記キャビネットユニットに設けられ、前記支持脚および前記天板を係止する係止部材を備えていることを特徴とする請求項３に記載の天板付き什器。
【請求項５】
前記連結手段は、
前記キャビネットユニットに前記天板を取り付ける取付部材を備え、
前記天板付き什器の不使用時には、前記キャビネットユニットの上面に前記天板を前記取付部材により取り付けることを特徴とする請求項３または４に記載の天板付き什器。
【請求項６】
前記支持脚は、前記支持脚の上端部に設けられて水平面内に位置するプレートを備え、
前記支持脚は、前記プレートが前記キャビネットユニットの上面に載置されることによって、前記床面から浮いた状態で前記キャビネットユニットに係止されることを特徴とする請求項３から５のいずれか一項に記載の天板付き什器。
【請求項７】
前記キャビネットユニットの上面に、前記キャビネットユニット上に支持される前記天板の不陸調整を行う不陸調整部が設けられていることを特徴とする請求項３から６のいずれか一項に記載の天板付き什器。
【請求項８】
前記支持脚は、平面視Ｌ字状で、不使用時に前記キャビネットユニットの少なくとも二つの側面に沿うよう近接して係止されることを特徴とする請求項３から７のいずれか一項に記載の天板付き什器。
【発明の詳細な説明】
【技術分野】
【０００１】
本発明は、オフィスや店舗、公共施設等の室内空間に設置された天板付き什器に関する。
【背景技術】
【０００２】
オフィスや店舗、公共施設等の室内空間においては、デスクやテーブル、カウンター等の天板付き什器が設置されている。
一般に、天板付き什器は、平板状の天板と、天板を安定的に支持する複数の支持体と、を備えている。これら天板と複数の支持体は、強固に一体化されている。
【０００３】
特許文献１には、支持体として、平面視Ｌ字状の脚体と袖キャビネットとを有し、これら脚体および袖キャビネット上に天板を設けた構成の机が開示されている。この構成で脚体および袖キャビネットと天板とは、ボルト、ナット等により強固に一体化されている。
【先行技術文献】
【特許文献】
【０００４】
【特許文献１】特許第２８２２３１０号公報
【発明の概要】
【発明が解決しようとする課題】
【０００５】
ところで、天板付き什器を配置した室内空間においては、天板付き什器のレイアウトを変更したい場合がある。そのような場合に、天板付き什器の位置を単に移動するだけではなく、使用しない天板付き什器を撤去する場合もある。
撤去した天板付き什器を保管するには、少なくとも各天板付き什器の天板の大きさに応じた床面積が必要である。複数の天板付き什器を保管する場合には、天板どうしを突き合わせて保管に必要なスペースをなるべく小さくしようとしても、多大なスペースが必要であることに変わりはない。
そこでなされた本発明の目的は、天板付き什器の保管スペースを抑えることのできる天板付き什器を提供することである。
【課題を解決するための手段】
【０００６】
本発明は、上記課題を解決するため、以下の手段を採用する。
この発明に係る天板付き什器は、互いに離間して床面上に設置される複数の支持体と、複数の前記支持体に着脱可能に支持された天板と、を有した天板付き什器であって、前記天板付き什器の不使用時に、前記天板から取り外された少なくとも一の前記支持体と鉛直面内に位置するように立てた状態の前記天板とを一体に連結する連結手段を備える。
【０００７】
このような構成によれば、天板付き什器を構成する複数の支持体を天板から取り外し、これら複数の支持体のうちの少なくとも一つと、鉛直面内に位置するように立てた状態の天板とを連結して一体とすることで、天板付き什器の保管に必要なスペースが、天板の大きさよりも小さくて済む。
【０００８】
さらに、前記連結手段は、前記天板付き什器の不使用時に、前記天板から取り外された他の前記支持体と前記一の支持体とを一体に連結してもよい。
このように、一の支持体と天板とを一体に連結するのに加えて、他の支持体を一の支持体に連結することで、一の支持体、他の支持体、および天板を一体として保管することができる。
【０００９】
また、複数の前記支持体のうち少なくとも一の前記支持体は、物品を収容可能な収容部を有したキャビネットユニットであり、他の前記支持体は、前記床面上に設置されて前記天板を支持する支持脚であり、前記キャビネットユニットは、底面に前記床面上で走行移動可能なキャスターを備え、前記支持脚および前記天板は、前記床面から浮いた状態で前記キャビネットユニットに係止されるようにしてもよい。
このような構成によれば、支持脚及び天板を浮かせた状態のまま、キャビネットユニットとともに容易に移動させることができる。
【００１０】
また、前記連結手段は、前記キャビネットユニットに設けられ、前記支持脚および前記天板を係止する係止部材を備えているようにしてもよい。
これにより、支持脚および天板を、キャビネットユニットに容易に係止させることができる。
【００１１】
また、前記連結手段は、前記キャビネットユニットに前記天板を取り付ける取付部材を備え、前記天板付き什器の不使用時には、前記キャビネットユニットの上面に前記天板を前記取付部材により取り付けるようにしてもよい。
これにより、天板をキャビネットユニットに確実に取り付けることができる。したがって、不使用時に天板付き什器を構成するキャビネットユニットと天板とを係止させた場合に、不用意に天板が脱落するのを防ぐことができる。
【００１２】
また、前記支持脚は、前記支持脚の上端部に設けられて水平面内に位置するプレートを備え、前記支持脚は、前記プレートが前記キャビネットユニットの上面に載置されることによって、前記床面から浮いた状態で前記キャビネットユニットに係止されるようにしてもよい。
これにより、支持脚を床面から浮かせた状態のまま確実にキャビネットユニットに係止させることができる。
【００１３】
前記キャビネットユニットの上面に、前記キャビネットユニット上に支持される前記天板の不陸調整を行う不陸調整部が設けられているようにしてもよい。
これにより、キャビネットユニットが走行移動可能なキャスターのみを備えてキャビネットユニットの底面側で不陸調整が行えない場合であっても、天板の不陸調整を行うことが可能となる。
【００１４】
また、この発明に係る天板付き什器において、前記支持脚は、平面視Ｌ字状で、不使用時に前記キャビネットユニットの少なくとも二つの側面に沿うよう近接して係止されるようにしてもよい。
このような支持体は、床面上で自立可能であり、天板から支持体を取り外したときに安定しているので取り扱い性に優れる。そして、このような支持脚とキャビネットユニットとを組み合わせて、小さなスペースで保管できる。
【発明の効果】
【００１５】
この発明に係る天板付き什器によれば、天板付き什器の保管スペースを抑えることが可能となる。
【図面の簡単な説明】
【００１６】
【図１】この発明の実施形態に係る天板付き什器の全体構成を示す斜視図である。
【図２】上記天板付き什器を構成する支持脚ユニットを示す平面図である。
【図３】上記天板付き什器の天板を取り外した状態を示す斜視図である。
【図４】上記天板付き什器に設けられた係止ピンとピン係合孔との係合状態を示す図である。
【図５】上記天板付き什器を構成する天板の下面図である。
【図６】上記天板付き什器において、連結金具を取り外す状態を示す斜視図である。
【図７】キャビネットユニットに天板を立てて係止させる状態を示す斜視図である。
【図８】キャビネットユニットに支持脚ユニットを係止させる状態を示す斜視図である。
【図９】キャビネットユニットに支持脚ユニットおよび天板を一体化させた構成を示す斜視図である。
【図１０】この発明の実施形態の変形例において、天板付き什器を構成する支持脚ユニット、キャビネットユニット、天板を示す斜視図である。
【図１１】図１０に示したキャビネットユニットに、支持脚ユニットと天板とを一体に係合させた状態を示す斜視図である。
【発明を実施するための形態】
【００１７】
以下、添付図面を参照して、本発明による天板付き什器を実施するための形態を説明する。しかし、本発明はこれらの実施形態のみに限定されるものではない。
【００１８】
図１は、この発明の実施形態に係る天板付き什器の全体構成を示す斜視図である。図２は、上記天板付き什器を構成する支持脚ユニットを示す平面図である。図３は、上記天板付き什器の天板を取り外した状態を示す斜視図である。図４は、上記天板付き什器に設けられた係止ピンとピン係合孔との係合状態を示す図である。図５は、上記天板付き什器を構成する天板の下面図である。図６は、上記天板付き什器において、連結金具を取り外す状態を示す斜視図である。図７は、キャビネットユニットに天板を立てて係止させる状態を示す斜視図である。図８は、キャビネットユニットに支持脚ユニットを係止させる状態を示す斜視図である。図９は、キャビネットユニットに支持脚ユニットおよび天板を一体化させた構成を示す斜視図である。
以下の説明において、天板付き什器に使用者が対向した状態で、使用者側を向く方向を「前方」、その反対方向を「後方」、とする。
図１に示すように、天板付き什器を構成する天板付き什器１０Ａは、いわゆるデスクであり、水平方向に互いに離間して床面上に設置される支持脚ユニット（支持体、支持脚）２０Ａおよびキャビネットユニット（支持体）３０Ａと、天板４０と、を備えている。
【００１９】
図１、図２に示すように、支持脚ユニット２０Ａは、床面上に自立可能で、天板４０の一方の側部に配置されている。支持脚ユニット２０Ａは、後部支持部材２１と、側部支持部材２２と、脚アーム２４と、天板支持アーム２５と、を備えている。
【００２０】
後部支持部材２１、側部支持部材２２は、それぞれ長方形のパネル状で、床面から上方に向けて延びるよう立設されている。
【００２１】
後部支持部材２１は、天板４０の後端部４０ｂにおいて、平面視したときに天板４０の幅方向に沿うよう配置されている。
【００２２】
側部支持部材２２は、天板４０の一方の側端部４０ｓにおいて、平面視したときに前後方向に延びるよう配置されている。
後部支持部材２１と側部支持部材２２とは、平面視すると略Ｌ字状をなすよう、互いに直交して配置されている。後部支持部材２１と側部支持部材２２は、後部支持部材２１の端部と側部支持部材２２の端部とを突き合わせた状態で、ジョイントプレート（プレート）２３によって一体に連結されている。
【００２３】
ジョイントプレート２３は、後部支持部材２１および側部支持部材２２上に跨って載置され、複数本のボルト２６等によって、後部支持部材２１および側部支持部材２２の上面に締結固定されている。ジョイントプレート２３は、平面視略矩形に形成され、互いに隣接する二辺２３ａ，２３ｂを、後部支持部材２１および側部支持部材２２に沿わせて配置されている。ジョイントプレート２３は、平面視Ｌ字状に配置された後部支持部材２１および側部支持部材２２の連結部分に対して内方に張り出すように設けられている。
【００２４】
脚アーム２４は、側部支持部材２２の前端部２２ｆの下端部から前方に向けて延び、床面に沿うよう設けられている。
天板支持アーム２５は、側部支持部材２２の前端部２２ｆの上端部から前方に向けて延びるよう設けられている。
【００２５】
図１に示すように、支持脚ユニット２０Ａの下面の少なくとも３カ所、例えば後部支持部材２１，側部支持部材２２および脚アーム２４の下端部には、それぞれ床面に接地する接地部材２７が設けられている。接地部材２７は、後部支持部材２１，側部支持部材２２、脚アーム２４の底面にねじ込まれており、そのねじ込み量を調整することによって、支持脚ユニット２０Ａのレベル調整を行うことができる。
【００２６】
図１、図３に示すように、キャビネットユニット３０Ａは、床面上に自立可能で、直方体状をなしたキャビネット本体３１と、キャビネット本体３１の前面３１ｆに形成された不図示の開口部に対して前後方向にスライドして出没可能とされ、物品を収容可能なた引き出し（収容部）３２と、を備えている。
キャビネット本体３１の底面の四隅にはそれぞれキャスター３３が設けられている。これらキャスター３３により、キャビネットユニット３０Ａは床面上に沿って移動自在とされている。
【００２７】
図３に示すように、キャビネット本体３１の上面には、上面に平面を有した高さ調整プレート（不陸調整部）３４が設けられている。高さ調整プレート３４の下側には、複数の調整ダイヤル３５が設けられている。各調整ダイヤル３５は、キャビネット本体３１に形成された雌ネジ穴（図示無し）にねじ込まれたネジ部（図示無し）と、ネジ部の上部に設けられた円盤状のダイヤル部３５ｂとを備えている。調整ダイヤル３５をネジ部（図示無し）の軸周りに回転させることによってダイヤル部３５ｂが上下方向に移動し、これによって高さ調整プレート３４は、その高さ調整および水平レベル調整が行えるようになっている。
【００２８】
図１、図３に示すように、上記支持脚ユニット２０Ａの側部支持部材２２および天板支持アーム２５の上端部、キャビネットユニット３０Ａの高さ調整プレート３４の上面、キャビネットユニット３０Ａの両側の側面３０ｓ、３０ｔには、それぞれの表面から直交する方向に突出する複数の係止ピン（係止部材）５０が設けられている。
図４に示すように、各係止ピン５０は、いわゆる段付きネジからなり、その一端側に形成された雄ネジ部５０ａと、他端側に形成され、雄ネジ部５０ａよりも外径が大きい頭部５０ｂと、雄ネジ部５０ａと頭部５０ｂとの間に形成され、雄ネジ部５０ａよりも外径が大きく、頭部５０ｂよりも外径が小さい段部５０ｃと、を一体に備えている。このような係止ピン５０は、雄ネジ部を支持脚ユニット２０Ａやキャビネットユニット３０Ａの各部に形成された雌ネジ穴（図示無し）に、段部５０ｃが支持脚ユニット２０Ａやキャビネットユニット３０Ａの各部の表面に突きあたるまでねじ込まれる。
【００２９】
図１、図３に示すように、天板４０は、平面視長方形状で、上記支持脚ユニット２０Ａおよびキャビネットユニット３０Ａ上に配置されている。
また、図５に示すように、天板４０の下面を形成する下部プレート４０ｐには、支持脚ユニット２０Ａの側部支持部材２２および天板支持アーム２５の上端部、キャビネットユニット３０Ａの高さ調整プレート３４の上面における各係止ピン５０に対応した位置に、ピン係合孔４１が上下に貫通して形成されている。図４に示すように、ピン係合孔４１は、一端側に、係止ピン５０の頭部５０ｂよりも内径が大きい大径部４１ａが形成されている。ピン係合孔４１は、他端側に、大径部４１ａから連続して、頭部５０ｂの外径よりも内径が小さく、かつ段部５０ｃの外径よりも内径が大きい溝部４１ｂが形成されている。ピン係合孔４１は、大径部４１ａが天板４０の前側を向き、溝部４１ｂが天板の後側を向くように形成されている。このようなピン係合孔４１に対し、係止ピン５０の頭部５０ｂを大径部４１ａに貫通させ、段部５０ｃを大径部４１ａの内方に位置させる。そして、天板４０を前方へスライドさせる。すると、係止ピン５０の段部５０ｃがピン係合孔４１の溝部４１ｂ内に挿入される。これによって天板４０が、係止ピン５０を介し、支持脚ユニット２０Ａおよびキャビネットユニット３０Ａに対し、上下方向に対して拘束される。
【００３０】
また、図１、図３に示すように、天板４０の下面とキャビネットユニット３０Ａにおいて支持脚ユニット２０Ａ側を向く側面３０ｓとが直交する部分には、天板４０とキャビネットユニット３０Ａとを連結する（取付部材）連結金具６０が設けられている。連結金具６０は、断面Ｌ字状で、天板４０の下面に沿う第一プレート部６０ａと、キャビネットユニット３０Ａの側面３０ｓに沿う第二プレート部６０ｂとからなる。
このような連結金具６０において、図示しないボルト等により、第一プレート部６０ａは天板４０の下部プレート４０ｐに締結固定され、第二プレート部６０ｂはキャビネットユニット３０Ａの側面３０ｓに締結固定されている。これにより、天板４０は、キャビネットユニット３０Ａに固定されている。
【００３１】
また、天板４０の下部プレート４０ｐは、支持脚ユニット２０Ａのジョイントプレート２３に形成された貫通孔２３ｈに通された図示しないボルト等により、ジョイントプレート２３に締結固定されている。これにより、天板４０は、支持脚ユニット２０Ａに固定されている。
【００３２】
さらに、図５に示すように、天板４０の下面には、上記ピン係合孔４１と同様の形状の第二ピン係合孔４３が、天板４０の幅方向に延びるよう複数形成されている。すなわち、第二ピン係合孔４３は、天板４０の幅方向の一方の側に、係止ピン５０の頭部５０ｂよりも内径が大きい大径部４３ａが形成されている。第二ピン係合孔４３は、大径部４３ａから天板４０の幅方向他方の側に向けて連続して、頭部５０ｂの外径よりも幅が小さく、かつ段部５０ｃの外径よりも幅が大きい溝部４３ｂが形成されている。
【００３３】
また、図３に示すように、支持脚ユニット２０Ａには、側部支持部材２２の上下端部、および天板支持アーム２５において、キャビネットユニット３０Ａを向く側に、ピン係合孔２８が形成されている。ピン係合孔２８は、上下方向に長く、下端部に、係止ピン５０の頭部５０ｂよりも内径が大きい大径部２８ａが形成されている。ピン係合孔２８は、大径部２８ａから上方に向けて連続して、頭部５０ｂの外径よりも幅が小さく、かつ段部５０ｃの外径よりも幅が大きい溝部２８ｂが形成されている。
【００３４】
このような天板付き什器１０Ａを使用しない場合には、連結金具６０およびジョイントプレート２３に締結された図示しないボルトを取り外すことによって、天板４０を、支持脚ユニット２０Ａおよびキャビネットユニット３０Ａとの固定から解除する。
次いで、天板４０を後方にスライドする。すると、各係止ピン５０が、各ピン係合孔４１の溝部４１ｂから大径部４１ａに相対的に移動する。この状態で天板４０を上方に移動させれば、図３に示すように、天板４０を支持脚ユニット２０Ａおよびキャビネットユニット３０Ａから取り外すことができる。
【００３５】
次に、図６に示すように、キャビネットユニット３０Ａの側面３０ｓに締結された図示しないボルトを取り外すことにより、連結金具６０をキャビネットユニット３０Ａから取り外す。
【００３６】
続いて、図７に示すように、天板４０を、下部プレート４０ｐがキャビネットユニット３０Ａの側面３０ｔに沿って鉛直面内に位置するように立てる。このとき、天板４０は、各第二ピン係合孔４３の大径部４３ａが下方に位置し、溝部４３ｂが上方に位置するようにセットする。そして、天板４０をキャビネットユニット３０Ａの側面３０ｔに押しつけ、側面３０ｔに設けられた各係止ピン５０（図３参照）を下部プレート４０ｐに形成された各第二ピン係合孔４３の大径部４３ａに挿入する。次いで、天板４０を下方にスライドし、係止ピン５０を第二ピン係合孔４３の溝部４３ｂに相対的に移動させる。これによって、天板４０は、係止ピン５０に係止されることによって、キャビネットユニット３０Ａの側面３０ｔに沿った状態で保持される。このとき、天板４０は、床面に接触しないよう、床面よりも上方位置に保持されるようになっている。
【００３７】
次に、図８に示すように、支持脚ユニット２０Ａの後部支持部材２１をキャビネットユニット３０Ａの後面３０ｂに沿わせ、側部支持部材２２を側面３０ｓに沿わせる。そして、キャビネットユニット３０Ａの側面３０ｓに設けられた係止ピン５０を、図３に示した支持脚ユニット２０Ａの各ピン係合孔２８の大径部２８ａに挿入させる。そして、支持脚ユニット２０Ａを下方にスライドさせ、各係止ピン５０を、各ピン係合孔２８の溝部２８ｂに相対的に移動させる。これにより、図９に示すように、支持脚ユニット２０Ａは、キャビネットユニット３０Ａの側面３０ｓおよび後面３０ｂに沿った状態で保持される。このとき、支持脚ユニット２０Ａは、各係止ピン５０によって、床面に接触しないよう、床面よりも上方位置に保持されるようになっている。また、支持脚ユニット２０Ａのジョイントプレート２３は、キャビネットユニット３０Ａの高さ調整プレート３４上に載置されている。
【００３８】
次いで、連結金具６０を、キャビネットユニット３０Ａの高さ調整プレート３４の上面と天板４０の下部プレート４０ｐとに突き当てる。そして、ボルト６１を、連結金具６０の第一プレート部６０ａ、第二プレート部６０ｂを通して、キャビネットユニット３０Ａの高さ調整プレート３４の上面と天板４０の下部プレート４０ｐとに予め形成されたネジ穴（図示無し）にねじ込む。これによって、キャビネットユニット３０Ａと天板４０とが、連結金具６０によって一体に連結される。
さらに、ボルト６２を、支持脚ユニット２０Ａのジョイントプレート２３の貫通孔２３ｈを通して、キャビネットユニット３０Ａの高さ調整プレート３４に予め形成されたネジ穴（図示無し）にねじ込む。これによって、支持脚ユニット２０Ａとキャビネットユニット３０Ａとが、一体に連結される。
係止ピン５０と、連結金具６０とが、連結手段を構成している。
【００３９】
このようにして、支持脚ユニット２０Ａおよび天板４０が、キャビネットユニット３０Ａに一体に連結された収納状態とされる。この収納状態において、天板４０を立てた状態でキャビネットユニット３０Ａの側面３０ｔに沿わせている。また、支持脚ユニット２０Ａは、後部支持部材２１をキャビネットユニット３０Ａの後面３０ｂに沿わせるとともに、側部支持部材２２を側面３０ｓに沿わせている。これにより、天板付き什器１０Ａは、収納状態における専有床面積が、図１に示したような使用状態における専有面積よりも大幅に小さくなっている。
【００４０】
上述したような天板付き什器１０Ａは、床面上に設置される支持脚ユニット２０Ａおよびキャビネットユニット３０Ａと、支持脚ユニット２０Ａおよびキャビネットユニット３０Ａに支持されるとともに、支持脚ユニット２０Ａおよびキャビネットユニット３０Ａに着脱可能とされた天板４０と、を備えている。そして、天板４０付き什器１０Ａの不使用時に、天板４０から取り外した複数組の支持脚ユニット２０Ａおよびキャビネットユニット３０Ａと、鉛直面内に位置するよう立てた状態の天板４０と、が一体に係止可能とされている。これによって、天板付き什器１０Ａの保管に必要なスペースが、天板４０の大きさよりも小さくて済む。
【００４１】
また、キャビネットユニット３０Ａは、底面に床面上で走行移動可能なキャスター３３を備え、支持脚ユニット２０Ａおよび天板４０は、床面から浮いた状態でキャビネットユニット３０Ａに係止されるようになっている。これにより、支持脚ユニット２０Ａ及び天板４０を浮かせた状態のまま、キャビネットユニット３０Ａとともに容易に移動させることができる。したがって、天板付き什器１０Ａを使用していた位置とこれを保管する位置との間での移動作業を容易に行うことが可能となる。
【００４２】
また、キャビネットユニット３０Ａは、支持脚ユニット２０Ａおよび天板４０を係止する係止ピン５０を備えている。これにより、支持脚ユニット２０Ａおよび天板４０を、ボルト等で締結することなく、キャビネットユニット３０Ａに容易に係止させることができる。
【００４３】
また、天板４０付き什器１０Ａの使用時にキャビネットユニット３０Ａと天板４０とを連結する連結金具６０を備え、天板４０付き什器１０Ａの不使用時には、キャビネットユニット３０Ａの上面と天板４０とを、この連結金具６０で連結するようにした。これにより、キャビネットユニット３０Ａと天板４０とを互いに確実に係合させることができる。したがって、不使用時にキャビネットユニット３０Ａに対して鉛直面内に立てた天板４０を係止させた場合に、不用意に天板４０が脱落するのを防ぐことができる。
【００４４】
また、支持脚ユニット２０Ａは、ジョイントプレート２３がキャビネットユニット３０Ａの上面に載置されることによって、床面から浮いた状態でキャビネットユニット３０Ａに係止されている。これにより、支持脚ユニット２０Ａを床面から浮かせた状態のまま、支持脚ユニット２０Ａの荷重の一部を、ジョイントプレート２３を介してキャビネットユニット３０Ａに伝達することができる。これによって、係止ピン５０に支持脚ユニット２０Ａの荷重が集中するのを防ぎ、支持脚ユニット２０Ａを確実にキャビネットユニット３０Ａに係止させることができる。
【００４５】
また、キャビネットユニット３０Ａの上面に、キャビネットユニット３０Ａ上に支持される天板４０の不陸調整を行う調整プレート３４が設けられている。キャビネットユニット３０Ａは、走行移動可能なキャスター３３のみを備えており、キャビネットユニット３０Ａの底面側で不陸調整が行えない。このような場合であっても、調整プレート３４により、天板４０の不陸調整を行うことが可能となる。
【００４６】
また、支持脚ユニット２０Ａは、平面視Ｌ字状で、不使用時にキャビネットユニット３０Ａの二つの側面３０ｓ，３０ｔに沿うよう近接して係止される。このような支持脚ユニット２０Ａは、床面上で自立可能であり、天板４０から支持脚ユニット２０Ａを取り外したときに安定しているので取り扱い性に優れる。そして、このような支持脚ユニット２０Ａとキャビネットユニット３０Ａとを組み合わせて、小さなスペースで保管できる。
【００４７】
（実施形態の変形例）
なお、上記実施形態において、天板付き什器１０Ａを構成する支持脚ユニット２０Ａ、キャビネットユニット３０Ａ、天板４０は、他のいかなる構成であってもよい。
図１０は、実施形態の変形例において、天板付き什器を構成する支持脚ユニット、キャビネットユニット、天板を示す斜視図である。図１１は、図１０に示したキャビネットユニットに、支持脚ユニットと天板とを一体に係合させた状態を示す斜視図である。
例えば、図１０、図１１に示すように、天板付き什器１０Ｂの支持脚ユニット（支持体、支持脚）２０Ｂは、平面視Ｌ字状に形成されて水平面内に位置する上部部材７１と、上部部材７１の鉛直下方に配置されて平面視Ｌ字状に形成された下部部材７２と、鉛直方向に延在して上部部材７１と下部部材７２とを接続する複数本の支柱７３と、を一体に備えている。そして、下部部材７２の底面に複数のキャスター７４が設けられている。これにより、支持脚ユニット２０Ｂは、床面上で自立可能であるとともに床面上で走行移動可能とされている。
また、上部部材７１の上面には、上方に開口した凹部７５が形成されており、他の支持脚ユニット２０Ｂを上部部材７１上に載置したときに、上段側の支持脚ユニット２０Ｂのキャスター７４が凹部７５内に収容できるようになっている。
【００４８】
またキャビネットユニット（支持体）３０Ｂは、その上面に上方に開口した凹部８１が形成されている。凹部８１には、前後方向に間隔をあけて、キャビネットユニット３０Ｂの幅方向に延びる支持部材８２が複数本設けられている。このようなキャビネットユニット３０Ｂは、他のキャビネットユニット３０Ｂを上面に載置したときに、他のキャビネットユニット３０Ｂのキャスター３３が凹部８１内に収容できるようになっている。
【００４９】
また、キャビネットユニット３０Ｂに対し、天板４０は、図９に示したような連結金具６０を用いずに、キャビネットユニット３０Ｂの側面３０ｔに設けた係止ピン５０（図４参照）に係止させるのみでもよい。
【００５０】
（その他の実施形態）
なお、本発明の天板付き什器は、図面を参照して説明した上述の各実施形態およびその変形例に限定されるものではなく、その技術的範囲において様々な変形例が考えられる。
例えば、天板４０と、支持脚ユニット２０Ａ、２０Ｂとは、着脱可能であれば、いかなる手段で連結してもよい。
また、連結金具６０やジョイントプレート２３を省略した構成とすることも可能である。ただしその場合は、不使用時に支持脚ユニット２０Ａ〜２０Ｃ、キャビネットユニット３０Ａ、３０Ｂを、係止ピン５０を介してキャビネットユニット３０Ａ，３０Ｂに係止したときに、支持脚ユニット２０Ａ〜２０Ｃ、キャビネットユニット３０Ａ、３０Ｂの荷重が係止ピン５０に集中する。
【００５１】
さらに、キャビネットユニット３０Ａ，３０Ｂに対し、支持脚ユニット２０Ａ〜２０Ｃ、キャビネットユニット３０Ａ、３０Ｂを、係止ピン５０を介して係止させるようにしたが、これに限らない。例えば、ボルトにより支持脚ユニット２０Ａ〜２０Ｃ、キャビネットユニット３０Ａ、３０Ｂを係止させてもよい。ただしその場合は、複数本のボルトを締めなければならず、手間がかかる。
【００５２】
加えて、天板付き什器１０Ａ，１０Ｂの不使用時に、天板と、支持脚ユニット２０Ａ〜２０Ｃと、キャビネットユニット３０Ａ、３０Ｂとを連結して一体とするようにしたが、少なくとも、天板４０と、キャビネットユニット３０Ａ、３０Ｂとを連結して一体とすればよい。
【００５３】
また、天板４０を支持する支持体として、支持脚ユニット２０Ａ〜２０Ｃ、キャビネットユニット３０Ａ、３０Ｂを例示したが、これらに限らず、いかなる支持体であってもよい。例えば、支持脚ユニット２０Ａ、２０Ｂは、自立可能ではない構成としてもよい。
また、天板付き什器１０Ａ、１０Ｂは、上記実施形態で示したようなデスク、テーブルに限らず、カウンター装置等、他の用途であってもよい。
これ以外にも、本発明の主旨を逸脱しない限り、上記実施の形態で挙げた構成を取捨選択したり、他の構成に適宜変更したりすることが可能である。
【符号の説明】
【００５４】
１０Ａ、１０Ｂ    天板付き什器
２０Ａ、２０Ｂ    支持脚ユニット（支持体、支持脚）
２３    ジョイントプレート（プレート）
３０Ａ、３０Ｂ    キャビネットユニット（支持体）
３２    引き出し（収納部）
３３    キャスター
３４    調整プレート（不陸調整部）
４０    天板
５０    係止ピン（係止部材）
６０    連結金具（取付部材）
【図１】
2016083291.tif 000003
【図２】
2016083291.tif 000004
【図３】
2016083291.tif 000005
【図４】
2016083291.tif 000006
【図５】
2016083291.tif 000007
【図６】
2016083291.tif 000008
【図７】
2016083291.tif 000009
【図８】
2016083291.tif 000010
【図９】
2016083291.tif 000011
【図１０】
2016083291.tif 000012
【図１１】
2016083291.tif 000013